(57)【特許請求の範囲】
【請求項１】
一面に多数の凹部（又は凸部）を設けてあるシート基材部と、
前記凹部（又は凸部）に嵌合する多数の凸部（又は凹部）及び該凸部（又は凹部）を一面に設けてある基部を有する複数の小片部からなる小片部群とを備え、
前記小片部の互いに接触する縁を凹曲縁又は凸曲縁としてあり、
隣り合う２つの小片部は一方の前記凹曲縁と他方の前記凸曲縁の一部又は全部が接触し、
前記小片部群が前記シート基材部に嵌合可能である
ことを特徴とするシート部材。
【請求項２】
前記シート基材部及び前記小片部群が弾性のある材質により形成されてなる
ことを特徴とする請求項１に記載のシート部材。
【請求項３】
請求項１又は２に記載のシート部材を用いて構成した
ことを特徴とする手帳用カバー。
【請求項４】
前記複数の小片部には、前記基部の一面から他面に貫通する孔が設けてある小片部を含み、
前記孔に手帳のしおり紐を通した小片部を前記シート基材部に嵌合することによりしおり紐を固定するようにしてある
ことを特徴とする請求項３に記載の手帳用カバー。
【請求項５】
請求項１に記載のシート部材を用いて構成した
ことを特徴とする電子機器用ケース。
【請求項６】
電子機器を収納する箱部を含み、
該箱部の底板部分を前記シート部材により構成してある
ことを特徴とする請求項５に記載の電子機器用ケース。
【発明の詳細な説明】
【技術分野】
【０００１】
本発明は、ブックカバー、手帳用カバー、携帯電話、電子手帳、電子辞書などのカバー又はケースに用いるシート部材並びに該シート部材を用いた手帳用カバー及び電子機器用ケースに関する。
【背景技術】
【０００２】
ブックカバー、手帳用カバー、携帯電話、電子手帳、電子辞書などのカバー又はケースは、多種多様なものが流通している。ユーザは自分の好みにあったものを選択して利用している。カバー又はケースは多種多様なものから選択が可能であるものの、購入したカバー又はケースをカスタマイズすることができない。そのような課題に対して、特許文献１には、収納物の保持位置をカスタマイズ可能なケースが記載されている。
【０００３】
一方、カバー又はケースは収納するものを着実に保護することが重要である。特に、携帯電話、電子手帳、電子辞書などの電子機器である場合、落とした際に収納物へ加わる衝撃を軽減することが重要である。そのような課題に対して、特許文献２には、緩衝材を設けた電子機器保護ケースが記載されている。
【先行技術文献】
【特許文献】
【０００４】
【特許文献１】特開平１１−３４２０１７号公報
【特許文献２】特開２００７−３０１１３１号公報
【発明の概要】
【発明が解決しようとする課題】
【０００５】
一方、手帳や携帯電話機など個人で使用するものは、近年、人とは違う自分の個性が表現されたものにしたいという要望がある。それに対して、様々なデザインの手帳用カバーや携帯電話機用のカバーやケースが作られている。しかしながら、いずれもデザインを変更することはできない。
【０００６】
本発明は、上述のごとき事情に鑑みてなされたものであり、デザインの変更が行うことが可能で、収納物の保護も可能となるカバー又はケース用のシート部材並びに該シート部材を用いた手帳用カバー及び電子機器用ケースを提供することを目的とする。
【課題を解決するための手段】
【０００７】
本発明に係るシート部材は、一面に多数の凹部（又は凸部）を設けてあるシート基材部と、前記凹部（又は凸部）に嵌合する多数の凸部（又は凹部）及び該凸部（又は凹部）を一面に設けてある基部を有する複数の小片部からなる小片部群とを備え、前記小片部の互いに接触する縁を凹曲縁又は凸曲縁としてあり、隣り合う２つの小片部は一方の前記凹曲縁と他方の前記凸曲縁の一部又は全部が接触し、前記小片部群が前記シート基材部に嵌合可能であることを特徴とする。
本発明にあっては、複数の小片部の嵌合位置を交換することで、デザインを変更することが可能となる。
【０００８】
本発明に係るシート部材は、前記シート基材部及び前記小片部群が弾性のある材質により形成されてなることを特徴とする。
本発明にあっては、シート基材部及び小片部群を弾性がある部材により構成したので、シート部材を用いたカバー、ケースは収納物を外部の衝撃から保護することが可能となる。
【０００９】
本発明に係る手帳用カバーは上述のシート部材を用いて構成したことを特徴とする。
【００１０】
本発明にあっては、上述のシート部材を用いて手帳用カバーを構成したので、小片部を付け替えることで、デザインを容易に変更することが可能となる。
【００１１】
本発明に係る手帳用カバーは前記複数の小片部には、前記基部の一面から他面に貫通する孔が設けてある小片部を含み、前記孔に手帳のしおり紐を通した小片部を前記シート基材部に嵌合することによりしおり紐を固定するようしてあることを特徴とする。
【００１２】
本発明にあっては、手帳のしおり紐を固定する小片部を含むこととしたので、手帳を持ち歩く際に、手帳が開いてしまっても、しおり紐が外れしてしまうのを防ぐことが可能となる。
【００１３】
本発明に係る電子機器用ケースは上述のシート部材を用いて構成したことを特徴とする。
【００１４】
本発明に係る電子機器用ケースは電子機器を収納する箱部を含み、該箱部の底板部分を前記シート部材により構成してあることを特徴とする。
【００１５】
本発明にあっては、上述のシート部材を用いて電子機器用ケースを構成したので、小片部を付け替えることで、デザインを容易に変更することが可能となる。
【発明の効果】
【００１６】
本発明にあっては、複数の小片部をシート基材部に嵌合可能としてある。複数の小片部の嵌合位置を交換することにより、デザインを変更することが可能となる。
【図面の簡単な説明】
【００１７】
【図１】シート部材の構成を示す斜視図である。
【図２】シート部材のシートベース部を示す平面図である。
【図３】図２のＩＩＩ−ＩＩＩ線による断面図である。
【図４】ピースの一例を示す斜視図である。
【図５】図４のＶ−Ｖ線による断面図である。
【図６】ピース群の例を示す平面図である。
【図７】ピースが嵌合してあるシートベース部の斜視図である。
【図８】広げた手帳用カバーの外側を示す平面図である。
【図９】広げた手帳用カバーの内側を示す平面図である。
【図１０】図８に示す手帳用カバーの正面図である。
【図１１】図８の断面線ＸＩ−ＸＩによる断面図である。
【図１２】指受け溝の拡大表示した斜視図である。
【図１３】指受け溝の拡大表示した斜視図である。
【図１４】孔付きピースを示す斜視図である。
【図１５】しおり紐を止める手順を示す斜視図である。
【図１６】厚みの異なるピースを組み合わせた手帳用カバーの一例を示す斜視図である。
【図１７】電子機器ケースの一例を示す斜視図である。
【図１８】電子機器ケースの一例を示す斜視図である。
【図１９】図１７のＸＩＸ−ＸＩＸ線による断面図である。
【図２０】ピースの別の形態を示す部分斜視図である。
【図２１】電子機器ケースの一例を示す斜視図である。
【図２２】電子機器ケースの一例を示す斜視図である。
【発明を実施するための形態】
【００１８】
以下、本発明をその実施の形態を示す図面に基づき具体的に説明する。
（実施の形態１）
図１はシート部材１の構成を示す斜視図である。シート部材１はシートベース部（シート基材部）１１とピース（小片部）１２を含む。ピース１２には形状の異なる複数のピース１２ａ、１２ｂ，１２ｃ、１２ｄを含む。なお、図１に示すシート部材１は平面視矩形状としているが、これに限らず任意の形状としても良い。
【００１９】
図２はシート部材１のシートベース部１１を示す平面図である。図３は図２のＩＩＩ−ＩＩＩ線による断面図である。シートベース部１１は平面視矩形状で、厚さが３〜５ｍｍ程度のシート状部材である。シートベース部１１は弾性のある材質、例えばシリコーン、ウレタンゴム、イソプレンゴム等により形成する。図２に示すようにシートベース部１１には複数の凹部１１ａが形成してある。凹部１１ａは円柱状の空間としてある。各凹部１１ａは一定間隔を隔てて、規則的に繰り返し、形成してある。図３に示すように凹部１１ａの深さは、シートベース部１１の厚さの約２／３としてある。
【００２０】
図４はピース１２ｄの一例を示す斜視図である。図５は図４のＶ−Ｖ線による断面図である。図６はピース群の例を示す平面図である。図４に示すように、ピース１２ｄは基部１２２と、基部１２２から垂直に突出する凸部１２１とを含む。基部１２２の周縁には曲線で形成された凹曲縁１２３、凸曲縁１２４が設けられている。凹曲縁１２３は他のピースの凸曲縁１２４と、凸曲縁１２４は他のピースの凹曲縁１２３と接触するようにしてある。すなわち、基部１２２はジグソーパズルのピースのような形状としてある。図１では、隣り合うピース（例えばピース１２ｂとピース１２ｄ）の凹曲縁と凸曲縁は全面が接触し、互いに密着しているようになっているが、それに限られない。一部分に隙間を設けるようにしても良い。それにより、ピース（例えばピース１２ｄ）の取り外しが容易となる。ピース１２ｄはシートベース部１１と同様に弾性のある材質、例えばシリコーン、ウレタンゴム、イソプレンゴム等により形成する。凸部１２１はシートベース部１１に形成された凹部１１ａと対をなすものである。凸部１２１は基部１２２に複数形成してある。凸部１２１の各々は円柱形状である。各凸部１２１は基部１２２に一定間隔を隔てて、規則的に繰り返し、形成してある。凸部１２１の間隔はシートベース部１１の凹部１１ａと略同一としてある。図５に示すように凸部１２１の突出長は、基部１２２の厚さの約２倍としてある。凸部１２１の外形寸法は凹部１１ａの寸法と略同一としてある。凸部１２１と凹部１１ａとの嵌合は摩擦により保持される。
【００２１】
基部１２２の周縁には凹曲縁１２３、凸曲縁１２４が設けられるとしたが、それに限らない。基部１２２は平面視矩形状としても良い。また、凸部１２１は円柱形状としたが、凸部１２１上面の直径が、基部１２２と接続されている根本の直径よりも小さくしてある、いわゆるプリン形状としても良い。三角柱形状、四角柱形状、六角柱形状などの多角柱形状としても良い。
さらに、各凹部１１ａの形成間隔、各凸部１２１の形成間隔はシートベース部１１よりピース１２ｄが容易に外れないような間隔であり、かつ、ピース１２ｄをシートベース部１１に容易に嵌合可能な間隔であれば良い。各凹部１１ａ、各凸部１２１の円柱の直径も、形成間隔と同様であり、これらの値は、シートベース部１１、ピース１２ｄの形状、材質などに合わせて適宜、定めれば良い。
【００２２】
図６はピース１２の一例を示す平面図である。図４及び図５に示すピース１２ｄはピース１２の一例である。図６に示すようにピース１２はピース１２ａ、１２ｂ、１２ｃ、１２ｄの４種類からなる。ピース１２ａからピース１２ｄは、基部の形状が異なるが、凸部の形状、寸法、及び配置間隔は互いに同一である。上述したように、各ピースの基部周縁に設けられた凹曲縁、凸曲縁はそれぞれ他のピースの凸曲縁、凹曲縁と嵌め合うようにしてある。ピース１２ａ、１２ｂ、１２ｃは周縁の一部を直線上としてある。このようなピースを適宜複数組み合わせることで、シートベース部１１と同様な矩形形状を形作ることが可能である。したがって、全てのピースをシートベース部１１からはみ出すこと無く、シートベース部１１と嵌合することが可能である。
【００２３】
図７はピース１２が嵌合してあるシートベース部１１の斜視図である。図７に示すように、矩形形状の角部分を形成するのはピース１２ａである。２つのピース１２ａの間に、ピース１２ｂ、ピース１２ｃを互いに複数組み合わせることにより、矩形状の一辺を構成することができる。図７に示す例では、長辺はピース１２ｂ及びピース１２ｃが各２個であり、短辺はピース１２ｂ、１２ｃが各１個としてある。辺を構成しない内部については、ピース１２ｄを用いる。このようにピース１２ｂ、１２ｃの個数を調整することにより、矩形を構成する辺の長さを変えることが可能である。
【００２４】
上述のように本実施の形態に係るシート部材１はシートベース部１１、複数のピースを含む構成とした。同一形状のピースが複数個含まれているので、同一形状ピース間で位置を交換することが可能である。同一形状ピース間で色、表面のデザイン、イラストなどを変えておけば、位置を交換するだけで、容易にデザインを変更することが可能となる。新たなピースを作成し、入れ替えることによってもデザインを変更することが可能となる。ジクソーパズルのように複数のピースが組み合わさるとイラスト、写真が認識できるようにピース表面に印字を行えば、ジクソーパズルのように画像を完成させるという楽しみをユーザに提供することが可能となる。
【００２５】
また、シートベース部１１、ピース１２は弾性のある材質、例えばシリコーン、ウレタンゴム、イソプレンゴム等により形成することとしたので、シート部材１を用いたカバー、ケースは収納物を外部の衝撃から保護することが可能となる。
【００２６】
（実施の形態２）
本実施の形態では上述のシート部材を用いた手帳用カバーについて説明する。図８は広げた手帳用カバー２の外側を示す平面図である。図９は広げた手帳用カバー２の内側を示す平面図である。図１０は図８に示す手帳用カバー２の正面図である。図１１は図８の断面線ＸＩ−ＸＩによる断面図である。図１２及び図１３は指受け溝の拡大表示した斜視図である。図１４は孔付きピース２２ｅを示す斜視図である。
【００２７】
手帳用カバー２は表紙部２１、ピース２２、背表紙部２３、裏表紙部２４、フラップバンド２５を含む。表紙部２１、背表紙部２３、裏表紙部２４、フラップバンド２５は一体となっている。手帳用カバー２のフラップバンド２５を除いた部分は平面視略矩形状である。表紙部２１、背表紙部２３、裏表紙部２４、フラップバンド２５の寸法は、本手帳用カバー２を使用する手帳の寸法に合わせて決めれば良い。また、表紙部２１及びピース２２は上述した実施の形態１のシート部材１と同様な構成となっている。
【００２８】
表紙部２１は手帳の表紙を覆う部分である。表紙部２１は平面視矩形状である。表紙部２１は凹部２１ａ、そで２１ｂ、指受け溝２１ｃ、指受け溝２１ｄを含む。凹部２１ａは表紙部２１の表面に一定間隔を隔てて、規則的に繰り返し、形成してある。凹部２１ａの深さは表紙部２１の厚さの約２／３としてある。
【００２９】
そで２１ｂは表紙部２１の裏側部分に形成されているポケット状のものである。そで２１ｂは略直方体状の空間が形成されるよう構成されている。そで２１ｂに手帳の表紙を差し込むことにより、手帳用カバー２が手帳に固定することが可能となっている。
【００３０】
表紙部２１の四隅のうち、背表紙部２３と接していない２つの隅には、それぞれフラップピース２５ａが嵌合するようにしてある。フラップピース２５ａが嵌合する部分には指受け溝２１ｃが形成してある。図１２に示すように、指受け溝２１ｃは表紙部２１の角を落とし、さらに曲面を持つ溝を形成したものである。いわゆる止めさじ面を形成したかのような形状となっている。指受け溝２１ｃを設けたことにより、フラップピース２５ａを表紙部２１から取り外す際に、指の腹でフラップピース２５ａを引っ掛けて、容易に取り外すことが可能となる。なお、指受け溝２１ｃとして止めさじ面取り加工としたのは一例である。指の腹でフラップピース２５ａを引っ掛けることが可能であれば、他の面取り加工でも良い。
【００３１】
表紙部２１の背表紙部２３側の一方の隅には、指受け溝２１ｄを形成してある。指受け溝２１ｄは指受け溝２１ｃと同様に止めさじ面取り加工により形成してある。指受け溝２１ｄと一体となって、しおり紐保持部２１ｅが形成してある（図１３参照）。しおり紐保持部２１ｅは以下に説明するように、手帳のしおり紐を固定する場合に、しおり紐を保持する部分である。
【００３２】
ピース２２は複数種類のピース２２ａ、２２ｂ、２２ｃ、２２ｄ、孔付きピース２２ｅを含む。ピース２２ａ、２２ｂ、２２ｃ、２２ｄは、それぞれ実施の形態１におけるピース１２ａ、１２ｂ、１２ｃ、１２ｄと同様であるので、説明を省略する。図１４に示すように、孔付きピース２２ｅの形状はピース２２ａとほぼ同一で孔部２２ｆが設けてある点が異なる。孔部２２ｆは孔付きピース２２ｅの一面から他面に貫通する貫通孔であり、手帳のしおりとして用いるしおり紐を固定するのに用いる。凸部２２１は表紙部２１の凹部２１ａと嵌合する。図１５はしおり紐ｂを止める手順を示す斜視図である。図１５Ａに示すように、手帳にしおり紐ｂをはさみ、手帳よりはみ出た部分を孔付きピース２２ｅの孔部２２ｆに表から裏へ通す。しおり紐ｂが孔部２２ｆから抜けないように、孔付きピース２２ｅを表紙部２１に嵌合させる。図１５Ｂに示すように、しおり紐ｂが固定できる。このようにしてしおり紐ｂを固定しておくことにより、持ち運んでいる際にしおり紐ｂが外れてしまうことを防ぐことが可能となる。上述したように孔付きピース２２ｅに対応する表紙部２１にはしおり紐保持部２１ｅを形成してある。したがって、孔部２２ｆにしおり紐ｂを通した孔付きピース２２ｅを表紙部２１に嵌合しようとした場合でも、孔付きピース２２ｅが表紙部２１より浮き上がるようなことはなく、他のピースと同様に、表紙部２１と確実に嵌合することが可能である。孔付きピース２２ｅが表紙部２１から外れやすくなることはない。
【００３３】
図９に示す背表紙部２３は手帳の背表紙を覆う部分である。背表紙部２３と表紙部２１との間、及び背表紙部２３と裏表紙部２４との間には、それぞれ折り曲げ溝２３ａが設けてある。折り曲げ溝２３ａを設けたことにより、手帳の形状に合わせて、背表紙部２３に対して表紙部２１、裏表紙部２４を折り曲げることが可能となる。背表紙部２３の横幅（表紙部２１と裏表紙部２４を隔てている距離）は、手帳の厚さに応じて定めれば良い。
【００３４】
裏表紙部２４は手帳の裏表紙を覆う部分である。裏表紙部２４の背表紙部２３と接続している辺の対辺両端にはフラップバンド２５が接続されている。フラップバンド２５との接続部分それぞれには、バンド接続溝２４ａが設けられており、フラップバンド２５を曲げられるようにしてある。裏表紙部２４の裏面側には図１１に示すようにそで２４ｂが形成してある。そで２４ｂは上述のそで２１ｂと同様にポケット状のものである。そで２４ｂに、手帳の裏表紙を差し込むことにより、手帳用カバー２を手帳に固定することが可能となる。
【００３５】
フラップバンド２５はフラップピース２５ａ、凸部２５ｂ、バンド折り曲げ溝２５ｃを含む。フラップピース２５ａはバンド折り曲げ溝２５ｃを介してフラップバンド２５と接続されており、フラップピース２５ａを折り曲げることが可能となっている。フラップバンド２５は表紙部２１と裏表紙部２４と接続する役目を担うものである。フラップピース２５ａはピース２２ａと同様な構成となっている。フラップピース２５ａに設けられた凸部２５ｂが、表紙部２１に設けてある凹部２１ａと嵌合することにより、フラップバンド２５が表紙部２１に固定される。フラップバンド２５の長手方向の寸法はそで２４ｂを含めた裏表紙部２４の厚み、手帳の厚み、そで２１ｂを含めた表紙部２１の厚みより、適切な値に定めれば良い。先端のフラップピース２５ａは表紙部２１の表面に嵌合するので、寸法には余裕をもたせる必要がある。また、手帳にメモ用紙を挟んだり、付箋紙、シールを貼ったりすることにより、手帳の厚みが増した場合にもフラップピース２５ａが表紙部２１に嵌合可能となるような考慮も必要である。フラップバンド２５は裏表紙部２４と一体的に接続されているので、フラップバンド２５により手帳が不用意に開いてしまうことを防ぐことが可能となる。
【００３６】
上述のように本実施の形態２では、実施の形態１で示したシート部材１を用いた構成としてあるので、実施の形態１と同様な効果が得られる。
【００３７】
（実施の形態３）
実施の形態２では各ピースの厚みは同一であるものとしたが、厚みを変えたものを組み合わせても良い。図１６は厚みの異なるピースを組み合わせた手帳用カバーの一例を示す斜視図である。
各ピースには三種類のハッチングのうちいずれかのハッチングを施し、厚みを表している。例えば、ｈ１のハッチングは厚みが５ｍｍ、ｈ２のハッチングは厚みが３ｍｍ、ｈ３のハッチングは厚みが１ｍｍとする。なお、この厚みには凸部は含まないものとする。また、実施の形態１に示したシート部材１にも同様な変更を施しても良いことは言うまでもないことである。
【００３８】
実施の形態３では実施の形態１、実施の形態２で述べた効果に加えて、以下の効果を奏する。厚みが異なるピースを組み合わせることにより、ピースの配置を変える際に、ピースを取り外しやすくなる。外観がより立体的に見え、また、触った際のアクセントともなり、より美観が向上する。また、表面に凹凸ができることにより手を滑らせて落としてしまうことを発生しにくくするという利点がある。
【００３９】
（実施の形態４）
次にシート部材１を用いた電子機器ケースについて説明する。ここで、電子機器とは、ＰＤＡ（Personal Digital Assistant）、携帯電話、スマートフォン、電子辞書、デジタルオーディオプレイヤなどである。図１７、図１８は電子機器ケース３の一例を示す斜視図である。図１９は図１７のＸＩＸ−ＸＩＸ線による断面図である。
【００４０】
電子機器ケース３は箱部３１、ピース３２を含んでいる。箱部３１は略矩形状で、一面が開口部となっている。箱部３１に電子機器を収納する。箱部３１には各種の孔部３１ａ、３１ｂ、３１ｃ、３１ｄ、３１ｅが設けてある。孔部３１ａ〜３１ｅは電子機器内蔵のカメラレンズ、イヤホンジャック、外部接続コネクタ、操作スイッチなどに対応した位置にある。それにより電子機器を電子機器ケース３から外すこと無く、カメラの利用、イヤホンの接続、外部接続ケーブルの接続、操作スイッチの操作を可能とする。
【００４１】
電子機器ケース３の箱部３１の底板部分は実施の形態１で示したシート部材と同様な構成となっている。図１８に示すように、箱部３１の底板部外面には複数のピース３２ａ、３２ｂ、３２ｃ、３２ｄ、３２ｅが嵌合可能としてある。ピース３２ｄはピース３２ａとほぼ同様な形状である。ピース３２ｄがピース３２ａと異なるのは孔部３２ｆが設けられている点である。孔部３２ｆは電子機器内蔵のカメラレンズの位置と対応した位置としてあり、常に内蔵カメラによる撮影を可能としてある。
【００４２】
図１９に示すように、電子機器ケース３の箱部３１の開口部には、側面から内側に突出する額縁状の枠板部３１ｆが設けてある。枠板部３１ｆにより、電子機器ケース３は電気機器に固定される。
【００４３】
上述の説明において、ピース３２ｄは電子機器内蔵のカメラレンズに対応した孔部３２ｆを設けることとしたが、孔部３２ｆを設けない構成も可能である。図２０はピース３２ｄの別の形態を示す部分斜視図である。図２０に示すように、ピース３２ｄの一辺は箱部３１と一体化された構成とする。内蔵カメラを利用する際には、図２０に示すようにピース３２ｄを箱部３１の表面から取り外した状態とすれば良い。ピース３２ｄは箱部３１と一体化されているので、カメラ利用中にピース３２ｄを紛失することを防ぐことが可能となる。紛失の恐れを考慮せずに、他のピースのようにピース３２ｄを箱部３１から完全に分離可能としても良い。
【００４４】
上述のように本実施の形態４では、実施の形態１で示したシート部材１を用いた構成としてあるので、実施の形態１と同様な効果を得られる。また。電子機器カバー３に用いる電子機器に合わせる形で、孔部３１ａ、３１ｂ、…、３１ｅ、３２ｆを設け、ピース３２ｄを構成することにより、電子機器カバー３を電子機器から取り外すこと無く、その機能を活用することが可能となる。
【００４５】
（実施の形態５）
図２１は電子機器ケース４の一例を示す斜視図である。図２１Ａは表側から見た図であり、図２１Ｂは蓋部４２を閉めた状態の電子機器ケース４を裏側から見た図である。電子機器ケース４は箱部４１、蓋部４２、フラップバンド４３を含む。箱部４１に電子機器を収納する。蓋部４２は一辺が箱部４１と一体化された構成となっている。蓋部４２の箱部４１と連結している辺と対向する辺には、フラップバンド４３が蓋部４２と一体化して構成されている。
【００４６】
図２１Ｂに示すように、蓋部４２から伸びたフラップバンド４３は箱部４１の側面に沿って箱部４１の裏側に達する。フラップバンド４３先端のフラップピース４３ａは箱部裏側外面に固定される。それにより、電子機器ケース４の蓋部４２が箱部４１に固定されることとなる。蓋部４２が閉まることにより、電子機器が箱部４１から飛び出ることを防ぐことが可能となる。
【００４７】
（実施の形態６）
図２２は電子機器ケース５の一例を示す斜視図である。電子機器ケース５は筒型形状であり、筒内部５１に電子機器を格納する。電気機器使用時は電子機器を電子機器ケース５より取り出して使うことを、前提としている。電子機器ケース５の一面にシート部材を採用しており、ピース５２ａ、５２ｂ、５２ｃが嵌合している。この例では蓋部がないが蓋部を設け、電子機器が電子機器５ケースから飛び出さいないようにしても良い。
【００４８】
実施の形態４から６では電子機器のケースとしたが、電子機器に限らず他のもののケースとして用いても良い。
【００４９】
上述の実施の形態１から６では、ピースに凸部を設け、シートベース部、表紙部等に凹部を設けるものとしたが、それに限られない。ピースに凹部を設け、シートベース部、表紙部等に凸部を設ける構成としても良い。
【００５０】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００５１】
１  シート部材
１１  シートベース部（シート基材部）
１１ａ  凹部
１２、１２ａ、１２ｂ、１２ｃ、１２ｄ  ピース（小片部）
１２１  凸部
１２２  基部
１２３  凹曲縁
１２４  凸曲縁
２  手帳用カバー
２１  表紙部
２１ａ  凹部
２１ｂ  そで
２１ｃ、２１ｄ  指受け溝
２１ｅ  しおり紐保持部
２２、２２ａ、２２ｂ、２２ｃ、２２ｄ  ピース
２２１  凸部
２２ｅ  孔付きピース
２２ｆ  孔部
ｂ  しおり紐
２３  背表紙部
２３ａ  折り曲げ溝
２４  裏表紙部
２４ａ  バンド接続溝
２４ｂ  そで
２５  フラップバンド
２５ａ  フラップピース
２５ｂ  凸部
２５ｃ  バンド折り曲げ溝
３  電子機器ケース
３１  箱部
３１ａ、３１ｂ、３１ｃ、３１ｄ、３１ｅ、３２ｆ  孔部
３２、３２ａ、３２ｂ、３２ｃ、３２ｄ、３２ｅ  ピース
４  電子機器ケース
４１  箱部
４２  蓋部
４３  フラップバンド
４３ａ  フラップピース
５  電子機器ケース
５１  筒内部
５２、５２ａ、５２ｂ、５２ｃ  ピース
【図１】
0005564532.tif 000002
【図２】
0005564532.tif 000003
【図３】
0005564532.tif 000004
【図４】
0005564532.tif 000005
【図５】
0005564532.tif 000006
【図６】
0005564532.tif 000007
【図７】
0005564532.tif 000008
【図８】
0005564532.tif 000009
【図９】
0005564532.tif 000010
【図１０】
0005564532.tif 000011
【図１１】
0005564532.tif 000012
【図１２】
0005564532.tif 000013
【図１３】
0005564532.tif 000014
【図１４】
0005564532.tif 000015
【図１５】
0005564532.tif 000016
【図１６】
0005564532.tif 000017
【図１７】
0005564532.tif 000018
【図１８】
0005564532.tif 000019
【図１９】
0005564532.tif 000020
【図２０】
0005564532.tif 000021
【図２１】
0005564532.tif 000022
【図２２】
0005564532.tif 000023